(57)【特許請求の範囲】
【請求項１】
バレルの前方端部からランセットの尖端を瞬間的に突出させるために、装着後方位置からトリガによって解放自在であるバネ荷重ランセットを含むバレルを含み、前記ランセットが前記バレルと係合しかつ駆動バネに対して前記ランセットを保持するための歪曲自在の付属物を有する血液サンプリング装置において、前記付属物は前記ランセットから後方へ延びかつ前記バレルの内構造により形成された爪に係止し、かつ前記ランセットの解放は前記付属物を離脱させるために前記バレルに対して横切る方向にプレスされる前記バレルと一体的なトリガによることを特徴とする血液サンプリング装置。
【請求項２】
バレルの前方端部からランセットの尖端を瞬間的に突出させるために、装着後方位置からトリガによって解放自在であるバネ荷重ランセットを含むバレルを含み、前記ランセットが前記バレルと係合しかつ駆動バネに対して前記ランセットを保持するための分離自在の付属物を有する血液サンプリング装置において、前記付属物は前記ランセットから後方へ延びかつ前記バレルの内構造により形成された爪に係止し、かつ前記ランセットの解放は前記付属物を離脱させるために前記バレルに対して横切る方向にプレスされる前記バレルと一体的なトリガによることを特徴とする血液サンプリング装置。
【請求項３】
前記バレルは前記ランセットおよびバネを収容するために共に蝶番止めされる２つの半割部との一体的成形物である、請求項１または２に記載の血液サンプリング装置。
【請求項４】
前記トリガは前記バレルの半割部から外方および後方へ歪曲する細長い要素であり、前記バレル内の孔へ突出して前記付属物と共働する後端部を有する、請求項３に記載の血液サンプリング装置。
【請求項５】
前記トリガは作動時に前記バレルとスナップ式に係止して前記バレルを作動位置に保持する、請求項１から４のいずれか１に記載の血液サンプリング装置。
【請求項６】
前記付属物は、弾性屈曲性を有し、前記装着後方位置である初期位置から前記爪およびトリガをクリアするための歪曲位置へ移動後に、前記ランセットが前記初期位置に向けて後方へ付勢される場合に前記爪の前方に保持された前記トリガの部分と係合する、請求項１、または３から５のいずれか１に記載の血液サンプリング装置。
【請求項７】
前記付属物は、弾性屈曲性を有し、前記ランセットが前記爪をクリア後に、前記トリガによるいずれの妨害も存在しない状態で、その装着後方位置である初期位置に向けて後方へ付勢される場合に前記爪の前方側に係合する、請求項１、または３から５のいずれか１に記載の血液サンプリング装置。
【請求項８】
前記付属物はその根元に弱部を有し、前記爪をクリアした後に前記根元を曲折停止させ、前記付属物は前記爪に再係止しない、請求項１、または３から５のいずれか１に記載の血液サンプリング装置。
【請求項９】
前記爪は横切る方向の２つのウエブにより半割部として形成され、前記半割部は一緒になって前記付属物が貫通する貫通孔を形成している、請求項１から８のいずれか１に記載の血液サンプリング装置。
【請求項１０】
フィンガが前記ランセットの後端部から前記付属物に平行に後方へ突出し、かつ前記トリガから遠方の前記貫通孔の縁部と係合し、それにより前記トリガがプレスされるときに前記ランセットは軸方向に適正配置される、請求項９に記載の血液サンプリング装置。
【請求項１１】
前記付属物は狭い首部、および前記爪の背面と係合する頭部を有し、かつ前記トリガはブレードとして形成された部を有し、前記ブレードとして形成された部は初期に前記首部と重合し、かつ前記トリガがプレスされるときに、前記首部を剪断して前記頭部を自由にし、かつ前記ランセットの前方への移動を可能にする、請求項２から５のいずれか１に記載の血液サンプリング装置。
【請求項１２】
前記バネは前記ランセットを包囲しかつそこへ連結された螺旋バネであり、前記ランセットの前方端部と前記爪の当接前方部間で作用し、かつ前記ランセットを前方へ駆動するときに弛緩状態に伸張し、前記ランセットの尖端の瞬間的突出後に前記ランセットの尖端を前記バレルへ放棄するものである、請求項１から１１のいずれか１に記載の血液サンプリング装置。
【発明の詳細な説明】
【０００１】
本発明は血液サンプリング装置に関する。
【０００２】
血液サンプリング装置の通常の形態は皮膚刺針(pricker)であり、小さいプラスチックハウジング内にバネ荷重ランセットを含み、ランセットを解放するトリガ機構を備える。前記ランセットのあるものは解放前に前記ランセットをコック（cock）または装着（prime)しておく必要があり、他方、他のものは発火するようにコックした状態に組立てて販売される。しかし、これらは全て全く簡単かつ安価であり、一回使用後に廃棄されてよい。
【０００３】
標準的特徴は、針尖端（tip)が瞬間的に突出した後にその針尖端がそのハウジングの内側へ後退することのできる充分な距離を前記ランセットが歪曲することである。続く外傷に対する保護を与えることのできる種々の方法が工夫され、使用者が装置をリセットして再発火させることが確実にできないようにする試みがされている。このことは確かに困難なことであるが、理想的はそれを不可能にすべきである。
【０００４】
１つの解決策がＥＰ−Ｂ−Ｏ５８２２２６に提案されており、ここではランセットは発火装置の内ショルダに対して初期当接するウイングを有し、ランセット背後を駆動バネに対して保持する。後端部のプッシュボタンをプレスしてウイングを付勢して折り取るまたは折り返し、駆動バネを作動させてランセットを前方へ付勢する。その特許の図２に示されたように、ウイングは、折り返されると、発火装置のバレルの内側に対して引っ張られ、そして後退を阻止する。いずれにしても、戻りバネを設ける必要がある。同様に、プッシュボタン作動および半径方向突出ウイングの組合せはバレルの後端部をむしろ嵩高にすることを必要とし、第一に内ショルダを、そして第二にプッシュボタンの前方圧力に対する使用者のグリップを提供する外ショルダの設置を必要とする。そのために実際にコンパクトではなく、組立てるべき相当数の構成要素（バレル、２つのバネ、プッシュボタンおよびランセット）を必要とする。
【０００５】
本発明の目的は、更に少量の構成要素により更にほっそりしたスタイルの再使用不能装置を提供することにある。
【０００６】
本発明によれば、血液サンプリング装置は、バレルの前方端部からランセットの尖端を瞬間的に突出するために、装着後方位置からトリガによって解放自在であるバネ荷重ランセットを含むバレルを含み、前記ランセットが前記バレルと係合しかつ駆動バネに対して前記ランセットを保持するための歪曲自在または分離自在の付属物を有する血液サンプリング装置において、前記付属物は前記ランセットから後方へ延びかつ前記バレルの内構造により形成された爪に係止し、かつ前記ランセットの解放は前記付属物を離脱させるために前記バレルに対して横切る方向にプレスされる前記バレルと一体的に形成されたトリガによることを特徴とする血液サンプリング装置が提供される。
【０００７】
有利には、そのハウジング（バレル）は前記ランセットおよびバネを収容するために共に蝶番止めされた２つの半割部との一体的成形物である。好適には、前記トリガは前記バレルの半割部から外方および後方へ歪曲する細長い要素であり、前記バレル内の孔へ突出して前記付属物と共働する後端部を有する。
【０００８】
作動時に、前記トリガは前記バレルとスナップ式に係止して前記バレルを作動位置に保持する。
【０００９】
前記付属物は、弾性屈曲性を有し、かつ前記爪およびトリガをクリア後に、前記装着後方位置である初期位置から前記爪およびトリガをクリアするための歪曲位置へ移動後に、前記ランセットが前記初期位置に向けて後方へ付勢される場合に前記爪の前方に保持された前記トリガの部分と係合する。
【００１０】
前記トリガによるいずれの妨害も存在しない状態で、前記ランセットが前記爪の前方側に係合する。選択的に、前記付属物はその根元に弱部を有し、前記爪をクリアした後に前記根元を曲折停止させて、前記ランセットがその装着位置へ付勢される場合に前記付属物が前記爪に再係止しないようにする。
【００１１】
前記爪は有利には横切る方向の２つのウエブにより形成され、前記半割部は一緒になるときに前記付属物が貫通する貫通孔を形成している。フィンガが前記ランセットの後端部から前記付属物に平行に後方へ突出し、かつ前記トリガから遠方の孔の縁部と係合し、それにより前記トリガがプレスされるときに前記ランセットが確実に適正に軸方向に配置される。
【００１２】
他の形態において、前記付属物の後端部は狭い首部、および前記首部の下方に位置する前記爪の背面と係合する頭部を有し、かつ前記トリガはブレードとして形成された部を有し、前記ブレードとして形成された部は初期に前記首部と重合し、かつ前記トリガがプレスされるときに、前記首部を剪断して前記頭部を自由にし、かつ前記ランセットの前方への移動を可能にする。
【００１３】
前記バネは一般的に前記ランセットを包囲しかつそこへ連結された螺旋バネであり、その前方端部と前記爪の当接前方部間で作動し、かつ前記ランセットを前方へ駆動するときにその弛緩状態にわたって延びて、前記ランセットの尖端の瞬間的突出後に前記バレルへ前記ランセットの尖端を放棄するものである。このようにして、前記爪と共働しかつ係止装置を干渉しない前記ランセットの部が首尾よく分離される。
【００１４】
本発明のより良い理解のために、いくつかの実施形態を添付図面を参照して例示として説明する。
【００１５】
刺針(pricker)はランセット２およびバネ３を含む細長い箱形ハウジング１から成り、前記ランセットの尖端（tip)４は、初期、ランセットの本体６と一体的に成形され細長いキャップ５の後端部内に隠蔽されている。ハウジング１はチャンネル形の上下に並設した２つの半割部７および８として一体的に成形され、隣接側部を連結しかつ蝶番を形成する一つの薄いウエブまたは一セットのウエブを有する。前記半割部は継続的に共に折り畳まれ、かつランセット２およびバネ３を収容するために接着または溶接される。ハウジング１の後端部は閉鎖されるが、半割部７および８の前方端部は半円形切欠きを有し、半円形切欠きは結合してキャップ５が侵入する孔９を形成する。
【００１６】
後端部から前方短距離に、半割部７および８はそれぞれ横切る方向のウエブ１０および１１を有する。ウエブ１０は事実上対称的な２つの分離部であって逆Ｔ形ギャップ１２を形成する。他方、ウエブ１１は自由縁部に中央切欠き１３を有する。ハウジング１の約中間長に横切る方向の２つの他のウエブ１４および１５が設けられており、ウエブ１４および１５は僅かにずれて並設されかつそれぞれ半割部の表面から僅かに盛り上がりっている。半割部７および８が共に閉鎖するときに、ウエブ１４および１５は重なるが、自由縁部に切欠きを有し、自由縁部は組合さってランセットの断面に対応する十字形孔を形成し、ランセットはその孔を回転することなく通過する。対峙する対のリブ１６が各半割部内で先端部から略ウエブ１４および１５へ延び、溝を形成し、ランセットの拡大頭部１７のフィンガはこの溝に案内される。バネ３はランセットの周りを巻回しかつランセットが係止する頭部１２とウエブ１４および１５との間に作用する。
【００１７】
トリガ１８は上半割部７と一体的な舌部として形成される。幅広部１９がウエブ１４の直ぐ背後から外方かつ後方へ傾斜し、かつその端部が２部構成ウエブ１０の直前で狭くなってハウジングに向かって背後に角度を付けた中央ナイフ状フィンガ２０を形成する。幅広部１９の上側はフィンガパッド２１を有する。トリガ１８の形態は、ウエブ１０による回転を可能にする概ね矩形の孔２２を形成し、フィンガ２０は逆Ｔ形ギャップ１２のステムに係合する。ハウジング１を形成するプラスチック材料は、トリガを歪曲させ、フィンガ２０を図１に示された位置からギャップ１２へ更に突出させる。ギャップ１２の露出口のいずれかの側でウエブ１０の上縁部は前方突出ラグ２３を有し、トリガ１８が完全に降下したときにこのラグはフィンガ２０のいずれかの側で幅広部１９の自由後端部上にスナップ係止でき、それにより使用後にトリガをその位置に保持する。後述するように、これは再使用、および装置の状態の簡単な可視表示に対する１つの別の方法である。
【００１８】
フィンガ２４および舌部２５はランセットの後端部から後方に突出し、フィンガ２４は直線状であり、かつ舌部２５はＬ形であり、かつそのようにして外方にアンダカットを有するフック２６を有し、ラッチを形成する。このフック２６はギャップ１２のステムよりも幅広い。最初に、フィンガ２４は切欠き１３から延び、かつフック２６は分割ウエブ１０のコーナ背後に捕捉される。コーナは局部的にフック２６の傾斜アンダカットに適合するように形成されていて、そのようにして圧縮バネ３により後方位置にランセット２を保持する確実係合を可能にする。
【００１９】
フィンガ刺針は組立てられ、包装されかつこの状態で販売される。使用に際して、キャップ５は捩じられかつ引っ張られ、図４に示されたように除去される。ランセットは上述のごとく回転不能であり、かつフック２６により後方位置に閉じ込められている。そこで、ハウジング１の前方端部は１つのフィンガに適用され、かつ圧力がトリガ１８のパッド２１に加えられる。フィンガ２０はフック２６の上部に当接して舌部２５を曲折し、フック２６がウエブ１０からスナップ式に（アンダカットにより）離脱し、かつ逆Ｔ形ギャップ１２の横棒を通る明瞭な前方通路を形成するようにする。フィンガ２４は図４に若干誇張して示されたように少し曲折している。しかし、フック２６上へのフィンガ２０の尖端の摩擦、そしてフィンガ２４とウエブ１１との間の摩擦はバネ３に対してランセットを保持するには充分でなく、従って、図５に示されたように、ランセットの針尖端４が僅かに突出するようにランセットを前方に発射させる。ランセットは図６の位置へ跳ね返る。同時に、トリガ１８はラグ２３により降下した状態で閉じ込められる。
【００２０】
人が突き道具により孔９からランセットを後ろへ押すことにより装置の再装着を試す場合、ランセットは、図７に示されたように、フィンガ２０の前方縁部に対して当接するフック２６の外側によって拘束されるであろう。これに対するバックアップがあり、かつトリガ１８が仮に解放される場合であっても、装着またはコック位置で当初にフック２６を保持していたウエブ１０のコーナにフック２６は当接する。フック２６は未だギャップ１２を通過することができないであろう。
【００２１】
これは、舌部２５が弾性でありかつ発射によりギャップ１２をクリアするとできるだけ早く初期状態に復帰することを仮定している。
【００２２】
しかし、弱部を有しかつ／または図４の位置へ曲折したときにそこに残りかつ回復しないような材料により舌部２５を形成することが可能である。その場合、ランセットは発射後に更に後方へプレスされるが、トリガ１８がその初期位置へ復帰しフィンガ２４および舌部２５が切欠き１３およびギャップ１２へ突出しかつフック２６が再度係止することはなく、かつ突き道具が除去されるときに、ランセットは図６の位置へ再度前進運動する。
【００２３】
舌部２５を曲折または変形する代わりに、再使用を確実に不可能にする他の方法が図８に示されている。後端部においてランセット本体は首部２７で狭くなりかつウエブ１１の切欠き１３の周辺の背後に係止する頭部２８で終端する。ウエブ１１は上述の実施形態におけるよりも厚い厚みを有し、その前面はウエブ１０と同レベルであるが、背面側でウエブ１０よりも厚い。首部２７はウエブ１０の後面に位置し、かつトリガ１８のフィンガは同様にウエブ１０の後面において横切る方向の切除器ブレードで終端する。
【００２４】
トリガのプレスは頭部２８を切り取り、ウエブ１０は実施者のブロックとして作用する。頭部２８はウエブ１０および１１の背後に残存し、他方、ランセットは前方に突出して上述のごとく跳ね返る。理解されるように、その装着状態にランセットを再捕捉しかつ再発火させる方法はない。
【図面の簡単な説明】
【図１】  予備装着または「販売」状態のフィンガ刺針（pricker）の長手断面図である。
【図２】  図１のII-II線上の断面図である。
【図３】  図１のフィンガ刺針の平面図である。
【図４】  発火点での図１のフィンガ刺針の長手断面図である。
【図５】  皮膚侵入の瞬間での図１のフィンガ刺針の長手断面図である。
【図６】  使用後の図１のフィンガ刺針の長手断面図である。
【図７】  使用後の図１のフィンガ刺針の長手断面図であり、リセットを試みる際に後退したランセットを示す。
【図８】  装着状態における他のフィンガ刺針の長手断面の詳細図である。
【図１】
0004602617.tif 000002
【図２】
0004602617.tif 000003
【図３】
0004602617.tif 000004
【図４】
0004602617.tif 000005
【図５】
0004602617.tif 000006
【図６】
0004602617.tif 000007
【図７】
0004602617.tif 000008
【図８】
0004602617.tif 000009